(57)【特許請求の範囲】
【請求項１】
走行体フレームの前部に液圧シリンダにより上下揺動可能に押えアームを取付け、走行体フレーム上に設置した旋回体に作業用アームを取付け、この作業用アームの先端に開閉式作業具を取付けた解体機において、
前記押えアームはその前部の下面に、先端がほぼ同一直線上に位置するように前後方向に配列した複数個の爪を有し、
地面に置かれた薄い解体対象物を前記複数個の爪のうちの前端の爪で押さえられる位置に前記押えアームを位置させた際に、前記複数個の爪のうちの前端の爪と共に前記薄い解体対象物が押さえられるように、前記押えアームの先端に押え部材を溶接して設けた
ことを特徴とする解体機の押えアーム。
【発明の詳細な説明】
【技術分野】
【０００１】
本発明は、家電、自動車、産業廃棄物等の解体に使用する解体機の押えアームに係わり、特に薄い解体対象物を押さえる場合に好適な押えアームの構造に関する。
【背景技術】
【０００２】
従来の解体機は、特許文献１、２に開示されているように、走行体フレームの前部に液圧シリンダにより上下揺動可能に押えアームを取付け、走行体上に設置した旋回体には、多関節構造の作業用アームを取付け、その先端に開閉式作業具を取付けて構成される。自動車等の解体物を解体する際には押えアームにより解体対象物を押さえ、開閉式作業具により解体対象物から取外すべき部材を把持して解体物から外す。
【０００３】
このような解体を行なわない場合には解体対象物は単なる廃棄物として取扱われるが、解体対象物を材質ごとに分離すれば、分離された各部材は再生利用に供することができ、経済的効果をもたらす。
【０００４】
図７に示すように、前記特許文献に記載の押えアーム１の前部の下面には前後方向に配列して解体対象物の滑りを防止するための複数個の爪２Ａ〜２Ｄを設けてなる。
【０００５】
【特許文献１】特開２００１−２５６７２号公報
【特許文献２】特開２００１−１５０２２２号公報
【発明の開示】
【発明が解決しようとする課題】
【０００６】
この種の解体機は、自動車や家電などのある程度の厚みのある解体対象物の解体を行なうものであるため、解体対象物が例えば１ｍ前後の厚みがある場合に、すなわち押えアーム１がある程度持ち上げられた姿勢のときに複数個の爪２Ａ〜２Ｄが解体対象物に当接して食い込むように設計されている。このため、図７に示すように、板状の薄い解体対象物３を押さえてその解体対象物から異なる材質の部材を開閉式作業具により把持して外す場合、前端の爪２Ａのみが解体対象物３を押さえることとなり、解体対象物３を地面４に十分固定することができず、滑ることがあるという問題点がある。すなわち、押えアーム１は左右一対のアームにより構成されるが、解体対象物３が置かれる地面４の凹凸などにより片側のアームのみが解体対象物３に接する場合もあり、この場合には解体対象物３が１箇所のみで押さえられることとなり、開閉式作業具で外すべき部材を把持して前後または上方に引っ張ると、解体対象物３が滑り、部材の取外しが能率良く行なえない。
【０００７】
本発明は、上記問題点に鑑み、押さえる解体対象物が薄い場合でも滑ることなく押さえることができ、解体作業の能率を向上させることが可能となる構造の解体機の押えアームを提供することを目的とする。
【課題を解決するための手段】
【０００８】
本発明の解体機の押えアームは、走行体フレームの前部に液圧シリンダにより上下揺動可能に押えアームを取付け、走行体フレーム上に設置した旋回体に作業用アームを取付け、この作業用アームの先端に開閉式作業具を取付けた解体機において、
前記押えアームはその前部の下面に、先端がほぼ同一直線上に位置するように前後方向に配列した複数個の爪を有し、
地面に置かれた薄い解体対象物を前記複数個の爪のうちの前端の爪で押さえられる位置に前記押えアームを位置させた際に、前記複数個の爪のうちの前端の爪と共に前記薄い解体対象物が押さえられるように、前記押えアームの先端に押え部材を溶接して設けた
ことを特徴とする。
【発明の効果】
【０００９】
本発明によれば、押えアームにおける前端の爪より前部に、前端の爪と共に薄い解体対象物に接して前端の爪と同時に解体対象物を押さえる部材を設けたので、薄い解体対象物であっても複数の箇所で解体対象物が押さえられ、解体対象物から外すべき部材を把持して引き離し方向に力を加える場合、解体対象物を滑ることなく固定することができ、解体作業の能率をあげることができる。
【発明を実施するための最良の形態】
【００１０】
図１は本発明による押えアームを適用する解体機の一例を示す側面図である。この解体機は油圧ショベルをべースマシンとして用いたもので、走行体５上に旋回装置６を介して旋回体７を設置し、旋回体７上に運転室８、パワーユニット９を搭載すると共に、作業用アーム１０を取付けてなる。
【００１１】
作業用アーム１０は第１アーム１１と、この第１アーム１１を起伏させる液圧シリンダ１２と、この第１アーム１２の先端に回動可能に取付けられた第２アーム１３と、この第２アーム１３を回動させる液圧シリンダ１４とを備える。
【００１２】
１５は解体対象物を把持する開閉式作業具であり、切断機能を備えるものである。この開閉式作業具１５は第２アーム１３に液圧シリンダ１６により回動可能に取付けられる。この開閉式作業具１５は、第２アーム１３に取付けられるブラケット１７と、このブラケット１７に取付けられた液圧モータ付きの旋回装置１８と、旋回装置１８の被旋回体に取付けられたフレーム１９と、このフレーム１９に少なくとも一方を開閉可能にして取付けられた一対の開閉体２０、２１と、これらの開閉体２０、２１の少なくとも一方を開閉させる不図示の液圧シリンダとからなる。
【００１３】
１は地面４に置かれた解体対象物を押さえる押えアームであり、この押えアーム１は図２に示すように左右一対のアーム１ａ、１ｂを１本以上の横架フレーム１ｃにより結合してなる。この押えアーム１は、図１に示すように走行体フレーム５ａの前部にピン２３を中心に上下揺動可能に取付けられる。２４は走行体フレーム５ａと押えアーム１との間に取付けられ、押えアーム１を上下揺動させる液圧シリンダである。
【００１４】
図３は押えアーム１の前部を拡大して示す図であり、押えアーム１の前部の下面には複数個の爪２Ａ〜２Ｃを溶接してなる。これらの爪２Ａ〜２Ｃは先端がほぼ同一直線Ｓ上に位置する。なお、前端の爪２Ａの先端は線Ｓより上方に位置させてもよい。２５は本発明により押えアーム１の先端に溶接した押え部材であり、この押え部材２５は地面４に１０ｃｍ以下の薄い板状の解体対象物３を置いて押さえたときに前端の爪２Ａと同時に解体対象物３を押さえることが可能となるように、接地面２５ａの位置を従来の押えアームより下方の位置に設定したものである。この押え部材２５の接地面２５ａは、複数個の爪２Ａ〜２Ｃの先端を結んだ線Ｓの前方への延長部より上に位置する。前記押え部材２５は好ましくは押えアーム１より耐磨耗性の高い硬質材により構成する。
【００１５】
このように、押えアーム１における前端の爪２Ａより前部に、前端の爪２Ａと共に薄い解体対象物３の上面に接して前端の爪２Ａと同時に解体対象物３を押さえる部材２５を設けたので、薄い解体対象物３であっても複数箇所で解体対象物３が押さえられ、開閉式作業具１５により解体対象物３から外すべき部材を把持して引き離し方向に力を加える場合、解体対象物３が滑ることなく固定することができ、解体作業の能率をあげることができる。
【００１６】
本発明の押え部材は、上記実施の形態に限らず、種々の異なる形態で実施することができる。例えば図４に示すように、押え部材２６は解体対象物３に対する接触部が平面ではなく、尖った形状にして解体対象物３に対する食い込みを良好にして解体対象物３が良好に固定されるようにしてもよい。
【００１７】
また、図５に示すように、図４と同様の目的、すなわち解体対象物３に対する食い込み力を高める目的を持って、押えアーム１の前部の下面に配列される複数個の爪２Ａ〜２Ｃのうちの前端の爪２Ａより前部に、薄い解体対象物３を前記爪２Ａと共に押さえるためのさらに別の爪２Ｘを設けたものである。この爪２Ｘの先端は、複数個の爪２Ａ〜２Ｃの先端を結んだ線Ｓの前方への延長部より上に位置するものである。
【００１８】
図６は本発明の押えアーム１のさらに他の実施の形態を示すものであり、本実施の形態の押え部材２７は、押えアーム１の前部の延出方向から上方に曲成した形状として解体対象物３との接触面を広く形成して解体対象物３がより確実に地面４に固定できるようにしたものである。またこの実施の形態においては、接地面に凹凸２７ａを形成してより確実に解体対象物３の滑りが防止できるように構成している。
【図面の簡単な説明】
【００１９】
【図１】本発明による押えアームを適用する解体機の一例を示す側面図である。
【図２】本発明の押えアームの一実施の形態を示す平面図である。
【図３】本発明の押えアームの一実施の形態を示す側面図である。
【図４】本発明の押えアームの他の実施の形態を示す側面図である。
【図５】本発明の押えアームの他の実施の形態を示す側面図である。
【図６】本発明の押えアームの他の実施の形態を示す側面図である。
【図７】従来の押えアームを示す側面図である。
【符号の説明】
【００２０】
１：押えアーム、１ａ、１ｂ：アーム、１ｃ：横架フレーム、２Ａ〜２Ｄ、２Ｘ：爪、３：解体対象物、４：地面、５：走行体、５ａ：走行体フレーム、６：旋回装置、７：旋回体、８：運転室、９：パワーユニット、１０：作業用アーム、１１：第１アーム、１２、１４、１６：液圧シリンダ、１３：第２アーム、１５：開閉式作業具、１７：ブラケット、１８：旋回装置、１９：フレーム、２０、２１：開閉体、２３：ピン、２４：液圧シリンダ、２５〜２７：押え部材、２７ａ：凹凸
【図１】
0004822927.tif 000002
【図２】
0004822927.tif 000003
【図３】
0004822927.tif 000004
【図４】
0004822927.tif 000005
【図５】
0004822927.tif 000006
【図６】
0004822927.tif 000007
【図７】
0004822927.tif 000008